(57)【要約】【課題】電源規格を越える外部機器の接続を使用者に報知できる電子機器を提供すること。【解決手段】外部機器９が接続される端子５を有する電子機器１は、端子５を介して、当該端子５に接続された外部機器９に駆動電力を供給する電力供給手段６と、電力供給手段６によって供給される電力の電流値を検出する電流値検出手段７と、電流値検出手段７により検出された電流値が、予め設定された所定値に達したか否かを判定する電流値判定手段８４と、電流値判定手段８４により、電流値が所定値に達したと判定されると、警告を報知する報知手段４とを備える。これによれば、外部機器９への電力供給において、電力供給手段の電源規格内にない過電流が生じ、当該外部機器９が利用できない場合に、その旨を使用者に報知することができる。【選択図】 図１
2008123138.tif 000002
【特許請求の範囲】
【請求項１】
外部機器が接続される端子を有する電子機器であって、
前記端子を介して、当該端子に接続された前記外部機器に駆動電力を供給する電力供給手段と、
前記電力供給手段によって供給される電力の電流値を検出する電流値検出手段と、
前記電流値検出手段により検出された前記電流値が、予め設定された所定値に達したか否かを判定する電流値判定手段と、
前記電流値判定手段により、前記電流値が前記所定値に達したと判定されると、警告を報知する報知手段とを備えることを特徴とする電子機器。
【請求項２】
請求項１に記載の電子機器において、
前記電流値判定手段により、前記電流値が前記所定値以上に達したと判定されると、前記電力供給手段による前記端子への電力供給を停止させる電力供給制御手段を備えることを特徴とする電子機器。
【請求項３】
請求項１または請求項２に記載の電子機器において、
前記端子は、ＵＳＢ端子であることを特徴とする電子機器。
【請求項４】
請求項１から請求項３のいずれかに記載の電子機器において、
前記電流値判定手段により、前記電流値が前記所定値に達したと判定されると、前記警告に係る画像情報を出力する警告画像出力手段を備え、
前記報知手段は、
光源と、
当該光源から射出された光束を変調して入力する画像情報に応じた画像光を形成する光変調装置と、
形成された画像光を投射する投射光学装置とを備えることを特徴とする電子機器。
【発明の詳細な説明】
【技術分野】
【０００１】
本発明は、外部機器が接続される端子を有する電子機器に関し、特に、当該端子を介して、当該外部機器に駆動電力を供給する電力供給手段を備える電子機器に関する。
【背景技術】
【０００２】
従来、外部機器が接続される端子を有する電子機器が知られている。このような端子として、ＵＳＢ（Universal Serial Bus）端子が挙げられ、また、ＵＳＢ端子を有する電子機器として、ＰＣ（Personal Computer）、プロジェクタ及びプリンタ等が挙げられる。このような電子機器は、ホストとして機能し、ＵＳＢ端子に接続され、かつ、スレーブとして機能する外部機器に対して駆動電力を供給する。
【０００３】
ところで、このようなＵＳＢ端子を備え、当該ＵＳＢ端子を介して外部機器に電力供給を行う電子機器は、ＵＳＢ規格に準拠した電圧を供給する必要がある。すなわち、電子機器が想定していない電圧が外部機器に供給されないように、当該外部機器への電力供給を制御する必要がある。このような必要性から、ＵＳＢ規格に準拠していないＵＳＢデバイス（バスパワード機器）が接続された場合に、当該ＵＳＢデバイスへの電力供給を停止するプリンタが知られている（例えば、特許文献１参照）。
【０００４】
この特許文献１に記載のプリンタは、ＵＳＢポートのＶｂｕｓを介して、当該ＵＳＢポートに接続されたＵＳＢデバイスに電力供給できるように構成されている。そして、ＭＰＵが、Ｖｂｕｓスイッチ制御線を介してＶｂｕｓスイッチをオン／オフすることにより、ＵＳＢデバイスへの電力供給が制御される。
詳述すると、ＭＰＵが、ＵＳＢポートに接続されたＵＳＢデバイスへの電力供給が開始されてからの電池電圧を検出し、当該電池電圧と、それ以前に検出された電池電圧とを比較し、新たに検出された電池電圧の電圧降下が一定値以上であるか否かを判定する。そして、電圧降下が一定値以上であれば、ＵＳＢ規格に準拠していないデバイスに対してＶｂｕｓ電力を供給しているため負荷が増加している可能性があると判断し、Ｖｂｕｓをオフにする。これにより、不必要な負荷への電力供給を停止することにより、電池の電力消費を抑える。
【０００５】
【特許文献１】特開２００６−１８４６６号公報
【発明の開示】
【発明が解決しようとする課題】
【０００６】
しかしながら、特許文献１に記載のプリンタでは、Ｖｂｕｓがオフされた状態ではＵＳＢデバイスが使用できないこととなるが、当該ＵＳＢデバイスを使用できない要因が、プリンタ側にあるのか、あるいは、ＵＳＢデバイス側にあるのかを、使用者が判断できないという問題がある。また、電力供給を行う電源装置の電源規格外のＵＳＢデバイスが接続された場合に、当該電源装置の電力供給能力によっては、ＵＳＢデバイスへの電力供給を行えてしまうことがある。このような場合、当該ＵＳＢデバイスは動作してしまうため、前述の要因がＵＳＢデバイスにあるのか、電子機器側にあるのかの判断が明確とはならず、使用者の不要な混乱を招くという問題がある。
【０００７】
本発明の目的は、電源規格を越える外部機器が接続された場合に、使用者に報知することができる電子機器を提供することである。
【課題を解決するための手段】
【０００８】
前記した目的を達成するために、本発明の電子機器は、外部機器が接続される端子を有する電子機器であって、前記端子を介して、当該端子に接続された前記外部機器に駆動電力を供給する電力供給手段と、前記電力供給手段によって供給される電力の電流値を検出する電流値検出手段と、前記電流値検出手段により検出された前記電流値が、予め設定された所定値に達したか否かを判定する電流値判定手段と、前記電流値判定手段により、前記電流値が前記所定値に達したと判定されると、警告を報知する報知手段とを備えることを特徴とする。
【０００９】
ここで、電流値判定手段により、電流値検出手段により検出された電流値と比較される所定値には、電力供給手段の電源規格を越える電流値を設定することができる。
本発明によれば、電流値判定手段が、電力供給手段から外部機器が接続される端子に、当該電力供給手段に予め設定された電源規格の範囲外の電流が供給されていると判定した場合には、報知手段により、警告が報知される。これによれば、端子に接続された外部機器が過電流により利用できない場合に、その旨の警告を報知手段により報知することができる。従って、接続された外部機器に対して電力供給を行ったことにより過電流が生じたため、当該外部機器が利用できない場合に、その外部機器を利用できない理由を、使用者に報知することができる。
【００１０】
本発明では、前記電流値判定手段により、前記電流値が前記所定値以上に達したと判定されると、前記電力供給手段による前記端子への電力供給を停止させる電力供給制御手段を備えることが好ましい。
本発明によれば、電力供給手段により端子に供給される電力の電流値が所定値以上である場合、すなわち、電源規格外の過電流が生じた場合に、電力供給制御部が、電力供給手段による端子への電力供給を停止させる。これによれば、過電流によって電力供給手段等がショートする等の事例が生じることを確実に防止することができる。従って、電力供給手段による電力供給を安定化することができるとともに、当該電力供給手段により適切な電力供給を実現することができ、電子機器を安定して駆動することができる。
【００１１】
本発明では、前記端子は、ＵＳＢ端子であることが好ましい。
本発明によれば、外部機器と通信接続されるとともに、当該外部機器に駆動電力を供給する端子を、１つの端子で構成することができるので、このような構成を有する端子を簡易に構成することができる。また、一般に広く普及しているＵＳＢ機器（ＵＳＢデバイス）を、本発明の電子機器で利用することができる。
【００１２】
本発明では、前記電流値判定手段により、前記電流値が前記所定値に達したと判定されると、前記警告に係る画像情報を出力する警告画像出力手段を備え、前記報知手段は、光源と、当該光源から射出された光束を変調して入力する画像情報に応じた画像光を形成する光変調装置と、形成された画像光を投射する投射光学装置とを備えることが好ましい。
本発明によれば、電力供給手段による外部機器が接続された端子への電力供給で過電流が生じた場合に、警告に係る画像が報知手段により投射される。これによれば、使用者に警告内容を把握しやすくすることができるほか、警告に係る画像の投射により、使用者に注意を喚起することができる。この際、警告画像を他の表示画像中に含ませることができ、この際には、電子機器の使用者は表示画像を注視していることとなるので、使用者に警告を一層認識させやすくすることができる。
【発明を実施するための最良の形態】
【００１３】
以下、本発明の一実施形態を図面に基づいて説明する。
（１）プロジェクタ１の全体構成
図１は、本実施形態に係るプロジェクタ１の構成を示すブロック図である。
本実施形態のプロジェクタ１は、光源から射出された光束を、入力する画像情報に応じて変調して画像光を形成し、当該画像光をスクリーンＳＣ等の投射面上に投射して、画像光に係る画像を表示する電子機器である。このプロジェクタ１は、図１に示すように、筐体２と、当該筐体２内に収納される装置本体３とを備えて構成されている。
【００１４】
装置本体３は、筐体２内に収納配置され、入力する画像情報に応じた画像形成等を行う。この装置本体３は、前述の画像光を形成投射する画像形成手段４と、外部機器としてのＵＳＢデバイス９が接続可能に構成されたＵＳＢ端子５と、装置全体及びＵＳＢ端子５に接続されたＵＳＢデバイス９に電力を供給する電力供給手段６と、ＵＳＢ端子５に供給される電力の電流値を検出する電流値検出手段７と、装置全体を制御する制御手段８とを備えて構成されている。
【００１５】
画像形成手段４は、制御手段８から入力する画像信号である駆動信号に応じた画像光を形成し、当該画像光をスクリーンＳＣ等に投影する。また、画像形成手段４は、本発明の報知手段に相当し、制御手段８から入力する警告画像及び異常通知画像に係る駆動信号に応じた画像を形成表示する。このような画像形成手段４は、光源装置４１、液晶ライトバルブ４２、投射レンズ４３及び各種光学部品（図示省略）を備えて構成されている。
【００１６】
光源装置４１は、本実施形態では、複数のＬＥＤ（Light Emitting Diode）を備えて構成され、当該ＬＥＤの点灯は、後述する制御手段８を構成する光源駆動制御部８３により制御される。このような光源装置４１から射出された光は、図示しない複数の光学部品を介して、液晶ライトバルブ４２の画像形成領域に重畳される。なお、このような光源装置４１は、ＬＤ（Laser Diode）等の半導体発光素子で構成することができるほか、メタルハライドランプや高圧水銀ランプ等の放電光源ランプを用いても構成することができる。
【００１７】
液晶ライトバルブ４２は、後述する制御手段８を構成するライトバルブ駆動制御部８２による制御下で、光源装置４１から射出された光束を変調して当該ライトバルブ駆動制御部８２から入力する駆動信号に応じた画像を形成する光変調装置である。この液晶ライトバルブ４２は、詳しい図示を省略したが、液晶パネルと、当該液晶パネルを挟む一対の偏光板とを備えて構成されている。
このうち、液晶パネルは、一対の透明ガラス基板に電気光学物質である液晶が密閉封入された構成を有し、ライトバルブ駆動制御部８２から入力する駆動信号に応じて、画像形成領域内にある液晶の配向状態が制御され、当該液晶パネルの光入射側に位置する偏光板を透過した偏光光束の偏光方向を変調して光学像を形成する。
【００１８】
液晶パネルを挟む一対の偏光板は、それぞれ入射した光束のうち、所定方向の偏光光のみ透過させ、その他の光束を吸収する。これら偏光板は、例えば、サファイアガラスまたは水晶等の透光性基板上に偏光膜が貼付された構成を有している。これら偏光板のうち、液晶パネルの光射出側に位置する偏光板は、液晶パネルから射出された光束のうち、入射側の偏光板における光束の透過軸と直交する偏光軸を有する光束のみ透過させる。
【００１９】
投射レンズ４３は、詳しい図示を省略するが、鏡筒内部に複数のレンズが収納された組レンズとして構成されている。そして、投射レンズ４３は、液晶ライトバルブ４２を介して形成された画像光を拡大投射し、当該画像光をスクリーンＳＣ等の画像表示領域上に結像させる。すなわち、投射レンズ４３は、本発明の投射光学装置に相当する。
【００２０】
ＵＳＢ端子５は、筐体２に形成された図示しない開口を介して、当該筐体２の外部に露出している。このＵＳＢ端子５は、ＵＳＢ規格に準拠したＡプラグが接続可能に構成され、当該ＵＳＢ端子５には、２本の信号線（Ｄ＋，Ｄ−）と、２本の電源線（Ｖｂｕｓ，ＧＮＤ）とが設けられている。このうち、２本の信号線は、後述する制御手段８に接続され、２本の電源線のうちＶｂｕｓ線は、電流値検出手段７を介して後述する電力供給手段６に接続されている。
このようなＵＳＢ端子５に接続されるＵＳＢデバイス９としては、静止画ファイルや動画ファイル等の画像情報を記憶可能に構成された半導体メモリデバイス等を例示することができる。
【００２１】
電力供給手段６は、外部から入力する商用交流電流を直流変換し、当該直流電流を昇圧及び減圧して、装置本体３を構成する各電子部品に駆動電力を供給する。具体的に、電力供給手段６は、後述する制御手段８に電力を供給する。また、電力供給手段６は、電流値検出手段７を介して、ＵＳＢ端子５の電源線（Ｖｂｕｓ）に５Ｖの電力を供給する。この電力供給手段６によるＵＳＢ端子５への電力供給は、制御手段８により制御され、当該制御手段８から入力する制御信号に応じて行われる。具体的に、電力供給手段６には、ＦＥＴ（Field-Effect Transistor）等のスイッチングを備えて構成され、当該スイッチングのオン／オフは、制御手段８の制御信号に応じて切り替わる。そして、スイッチングがオン状態であれば、電力供給手段６からＵＳＢ端子５に電力が供給され、オフ状態であれば、電力供給はされない。なお、このようなスイッチングは、他の構成としてもよい。
電流値検出手段７は、電力供給手段６からＵＳＢ端子５の電源線（Ｖｂｕｓ）に供給される電力の電流値を検出する。
【００２２】
（２）制御手段８の構成
制御手段８は、ＣＰＵ（Central Processing Unit）、ＲＡＭ（Random Access Memory）及びＲＯＭ（Read Only Memory）等が実装された回路基板として構成され、装置本体３を制御し、ひいては、プロジェクタ１全体の駆動を制御する。このような制御手段８は、画像情報処理部８１、ライトバルブ駆動制御部８２、光源駆動制御部８３及び主制御部８４を備えて構成されている。
【００２３】
画像情報処理部８１は、筐体２の外部に露出するように設けられた各種端子（図示省略）に接続された外部機器、及び、ＵＳＢ端子５に接続されたＵＳＢデバイス９から入力する画像情報を処理して、内部処理可能な画像信号を生成する。この際、画像情報処理部８１は、色合い、明るさ及びガンマ等の補正を行う。また、画像情報処理部８１は、主制御部８４から入力する制御信号に応じて、メニュー画像、警告画像及び異常通知画像等に係る画像信号を生成する。そして、画像情報処理部８１は、生成した画像信号を、ライトバルブ駆動制御部８２に出力する。すなわち、画像情報処理部８１は、本発明の警告画像出力手段に相当する。
【００２４】
ライトバルブ駆動制御部８２は、画像情報処理部８１から入力する画像信号に応じた画像を液晶ライトバルブ４２により形成させるドライバである。具体的に、ライトバルブ駆動制御部８２は、画像情報処理部８１から入力する画像信号に応じて液晶ライトバルブ４２の液晶パネルを駆動するための駆動信号を生成し、当該駆動信号を液晶パネルに出力する。
光源駆動制御部８３は、主制御部８４の制御下で、前述の画像形成手段４を構成する光源装置４１の点灯を制御する。具体的に、光源駆動制御部８３は、光源装置４１のＬＥＤに印加する電圧レベルを制御し、当該光源装置４１から射出される光束の輝度を制御する。
【００２５】
図２は、主制御部８４の構成を示すブロック図である。
主制御部８４は、制御手段８全体を制御するものであり、ＲＯＭにより構成された記憶部（図示省略）に記憶されたプログラムに基づいて、自律的にプロジェクタ１の駆動を制御するほか、画像情報処理部８１による画像処理の制御、及び、光源駆動制御部８３による光源装置４１の輝度制御等を統合的に制御する。さらに、主制御部８４は、電流値検出手段７から入力する電流値を含む情報に基づいて、電力供給手段６によるＵＳＢ端子５への電力供給を制御する。
このような主制御部８４は、図２に示すように、電流値取得部８４１、電流値判定部８４２、報知状態判定部８４３、警告報知指示部８４４、電力供給制御部８４５及び異常報知指示部８４６を備えて構成されている。
【００２６】
電流値取得部８４１は、電流値検出手段７により検出された電流値を取得する。
電流値判定部８４２は、本発明の電流値判定手段に相当し、電流値取得部８４１により取得された電流値が、電力供給手段６によるＵＳＢ端子５への電力供給における電源規格を越える所定の電流値である基準値を超過しているか否かを判定する。具体的に、電流値判定部８４２は、取得した電流値が５００ｍＡを超過しているか否かを判定する。また、電流値判定部８４２は、取得した電流値が基準値を超過していると判定した場合に、当該電流値が、電力供給手段６により電力供給可能な上限の電流値である出力可能値（例えば、７００ｍＡ）を超過しているか否かを判定する。
【００２７】
報知状態判定部８４３は、警告や異常に係る報知中であるか否かを判定する。具体的に、報知状態判定部８４３は、画像形成手段４により形成表示されている画像に、警告画像及び異常通知画像のいずれかが含まれているか否かを判定する。
警告報知指示部８４４は、電流値判定部８４２により、取得された電流値が前述の基準値を超過していると判定された場合に、画像情報処理部８１に制御信号を出力し、当該画像情報処理部８１に、電力供給手段６の電源規格を越える駆動電力が必要なＵＳＢデバイス９が接続されている旨の警告画像に係る画像信号を生成出力させる。これにより、当該画像信号は、ライトバルブ駆動制御部８２に入力し、当該ライトバルブ駆動制御部８２の制御下で、画像形成手段４の液晶ライトバルブ４２が駆動することで、当該画像信号に係る警告画像が表示される。また、警告報知指示部８４４は、警告画像を表示する必要がなくなった場合には、画像情報処理部８１に制御信号を出力し、当該警告画像に係る画像信号の出力を停止させる。
【００２８】
電力供給制御部８４５は、本発明の電力供給制御手段に相当し、電流値判定部８４２により、取得された電流値が出力可能値を超過していると判定された場合に、電力供給手段６に制御信号を出力し、当該電力供給手段６によるＵＳＢ端子５への電力供給を停止させる。具体的に、電力供給制御部８４５は、電力供給手段６のスイッチングをオンまたはオフする制御信号を、当該電力供給手段６に出力する。
異常報知指示部８４６は、同じく電流値判定部８４２により、取得された電流値が出力可能値を超過していると判定された場合に、画像情報処理部８１に制御信号を出力し、当該画像情報処理部８１により、電力供給能力を超過したためＵＳＢデバイス９への電力供給を停止した旨の異常通知画像に係る画像信号を生成出力させる。これにより、当該異常通知画像が、画像形成手段４により形成表示される。また、異常報知指示部８４６は、異常画像を表示する必要がなくなった場合には、画像情報処理部８１に制御信号を出力し、当該異常通知画像に係る画像信号の出力を停止させる。
【００２９】
（３）電力供給制御処理
以下、電力供給制御処理について説明する。
図３は、電力供給制御処理の処理過程を示すフローチャートである。
電力供給制御処理は、ＵＳＢ端子５にＵＳＢデバイス９が接続されるごとに、制御手段８の主制御部８４により実行される。この電力供給制御処理は、図示しない記憶部に記憶された電力供給制御プログラムに沿って行われ、接続されたＵＳＢデバイス９に供給される電力の電流値に応じて、当該ＵＳＢデバイス９への電力供給を制御する処理である。
具体的に、電力供給制御処理では、図３に示すように、まず、ＵＳＢ端子５にＵＳＢデバイス９が接続されると、当該ＵＳＢ端子５に、電力供給手段６が５Ｖの電力を供給する（電力供給ステップＳ１）。
【００３０】
この後、電流値検出手段７が、電力供給手段６によりＵＳＢ端子５に供給される電力の電流値を検出する（電流値検出ステップＳ２）。この検出された電流値は、制御手段８を構成する主制御部８４の電流値取得部８４１により取得され、同じく主制御部８４を構成する電流値判定部８４２が、当該電流値が電力供給手段６の電源規格内の電流値であるか否かを判定する（電流値判定ステップＳ３）。具体的に、電流値判定部８４２は、取得された電流値が、基準値（５００ｍＡ）を超過するか否かを判定する。
【００３１】
ここで、電流値判定部８４２が、取得された電流値が基準値を越えていると判定した場合、すなわち、現在ＵＳＢ端子５に供給されている電力の電流値が電源規格内にないと判定した場合には、警告報知指示部８４４が、画像情報処理部８１に制御信号を出力して、警告画像を表示させる（警告報知ステップＳ４）。この後、主制御部８４は、ステップＳ５に移行する。
【００３２】
一方、電流値判定部８４２が、取得された電流値が基準値を越えていないと判定した場合、すなわち、現在ＵＳＢ端子５に供給されている電力の電流値が電力供給手段６の電源規格内にあると判定された場合には、報知状態判定部８４３が、警告及び異常の報知中であるか否か、すなわち、画像形成手段４により形成表示されている画像に、警告画像または異常通知画像が含まれているか否かを判定する（報知状態判定ステップＳ６）。
この判定処理において、報知状態判定部８４３が、警告または異常の報知中ではないと判定した場合には、主制御部８４は、ステップＳ２に移行し、ＵＳＢ端子５に供給されている電力の電流値を監視する。
【００３３】
一方、報知状態判定部８４３が、警告または異常の報知中であると判定した場合において、警告の報知中である場合には、警告報知指示部８４４が、また、異常の報知中である場合には、異常報知指示部８４６が、画像情報処理部８１に制御信号を出力し、当該画像情報処理部８１による警告画像または異常通知画像に係る画像信号の出力を停止させる。これにより、警告及び異常の報知が停止する（報知停止ステップＳ７）。
【００３４】
ステップＳ５では、電流値判定部８４２が、電流値取得部８４１により取得された電流値が、電力供給手段６による電力供給能力の範囲内であるか否かを判定する（供給可否判定ステップＳ５）。具体的に、電流値判定部８４２は、取得された電流値が出力可能値（７００ｍＡ）を超過するか否かを判定する。
ここで、電流値判定部８４２が、取得された電流値が出力可能値を越えていないと判定した場合には、主制御部８４は、ステップＳ２に移行し、ＵＳＢ端子５に供給されている電力の電流値を監視する。
【００３５】
一方、電流値判定部８４２が、取得された電流値が出力可能値を越えると判定した場合には、電力供給制御部８４５が、電力供給手段６のスイッチングをオフ状態に切り替える。これにより、電力供給手段６によるＵＳＢ端子５への電力供給が停止される（電力供給停止ステップＳ８）。
この後、異常報知指示部８４６が、画像情報処理部８１に制御信号を出力する。そして、当該画像情報処理部８１は、異常報知指示部８４６からの制御信号の入力に応じて、現在表示中の警告画像に係る画像信号の出力に代えて、異常通知画像に係る画像信号を生成出力する。これにより、当該異常通知画像が、画像形成手段４により形成表示される（異常報知ステップＳ９）。
【００３６】
以上により、電力供給制御処理が終了するが、当該電力供給制御処理は、前述のように、ＵＳＢデバイス９がＵＳＢ端子５に接続されるごとに行われる。そして、異常通知画像が表示されている状態で、ＵＳＢ端子５に接続されているＵＳＢデバイス９の接続が解除され、同じＵＳＢデバイスあるいは他のＵＳＢデバイスが接続された場合には、主制御部８４により、前述のステップＳ１から電力供給制御処理が実行される。この際、電力供給制御部８４５により、電力供給手段６のスイッチングがオン状態に切り替えられる。
【００３７】
以上説明した本実施形態のプロジェクタ１によれば、以下の効果を奏することができる。
すなわち、主制御部８４を構成する電流値判定部８４２が、電流値検出手段７により検出され、電流値取得部８４１により取得されたＵＳＢ端子５への供給電力の電流値が、電力供給手段６の電源規格を越える所定値（基準値であり、本実施形態では、５００ｍＡ）を超過した場合に、警告報知指示部８４４が画像情報処理部８１に制御信号を出力する。そして、当該画像情報処理部８１は、制御信号の入力に応じて警告画像に係る画像信号を生成出力し、ライトバルブ駆動制御部８２が、当該画像信号に応じて画像形成手段４を構成する液晶ライトバルブ４２を駆動させることにより、警告画像が投影される。
【００３８】
これによれば、電力供給手段６の電源規格を越える電流値がＵＳＢ端子５に供給された場合、すなわち、過電流が生じた場合に、警告画像を表示することにより、使用者に、電源規格に適合しないＵＳＢデバイス９が接続されている旨を報知することができる。
さらに、当該ＵＳＢデバイス９がＵＳＢ端子５に接続された場合において、ＵＳＢ端子５への供給電力の電流値が、電力供給手段６による電力供給可能の上限の電流値を超過した場合に、その旨を報知する異常通知画像が表示される。これにより、接続されたＵＳＢデバイス９がプロジェクタ１では利用できない理由を、使用者に報知することができる。
従って、接続されたＵＳＢデバイス９への電力供給状態を、使用者に報知することができ、当該ＵＳＢデバイス９が使用できない場合の理由を、使用者に報知することができる。
【００３９】
また、電流値判定部８４２により、電流値検出手段７により検出された電流値、すなわち、電力供給手段６によりＵＳＢ端子５に供給されている電力の電流値が、当該電力供給手段６の電力供給可能な上限の電流値（出力可能値）を超過していると判定された場合には、電力供給制御部８４５により、電力供給手段６によるＵＳＢ端子５への電力供給が停止される。
これによれば、過電流状態が継続し、電力供給手段６、ＵＳＢ端子５及び制御手段８等がショートするなどして、これらが損傷することを防ぐことができる。また、ＵＳＢ端子５への電力供給を停止することにより、他の構成、例えば、制御手段８への電力供給を安定化することができる。従って、装置本体３の損傷を防止することができるとともに、プロジェクタ１を安定して駆動することができる。
【００４０】
また、プロジェクタ１がＵＳＢ端子５を備えて構成されていることにより、当該ＵＳＢ端子５に接続されるＵＳＢデバイス９との情報通信、及び、当該ＵＳＢデバイス９への電力供給を、１つの端子で実現することができる。従って、前述のような電力供給制御を行うプロジェクタ１と外部機器との接続構成を簡略化することができる。
【００４１】
また、電流値判定部８４２により、電流値検出手段７により検出された電流値が、電力供給手段６の電源規格を越える電流値であると判定された場合、及び、電力供給手段６による電力供給可能な上限の電流値（出力可能値）を超過した電流値であると判定された場合には、警告報知指示部８４４及び異常報知指示部８４６が画像情報処理部８１に制御信号を出力する。そして、当該画像情報処理部８１は、警告画像または異常通知画像に係る画像信号を生成し、当該画像信号をライトバルブ駆動制御部８２に出力することにより、画像形成手段４が、当該警告画像及び異常通知画像をスクリーンＳＣに投射する。
【００４２】
これによれば、静止画及び動画等の画像が表示されるスクリーンＳＣ上に警告画像または異常通知画像を表示することができる。ここで、プロジェクタ１の駆動時には、使用者はスクリーンＳＣ上に表示された画像を注視するので、電力供給手段６の電源規格に適合しないＵＳＢデバイス９が接続されたことを、使用者に確実に認識させることができる。また、警告画像では、電力供給手段６の電源規格に適合しないＵＳＢデバイス９が接続されている旨のメッセージが含まれ、また、異常通知画像では、ＵＳＢデバイス９への電力供給能力を超過したため電力供給を停止した旨のメッセージが含まれるため、使用者に警告及び異常の内容を、一層分かりやすくすることができる。従って、警告及び異常の内容を、使用者に適切かつ確実に認識させることができる。
【００４３】
（４）実施形態の変形
本発明は前述の実施形態に限定されるものではなく、本発明の目的を達成できる範囲での変形、改良等は本発明に含まれるものである。
前記実施形態では、報知手段として、警告画像及び異常通知画像を形成表示する画像形成手段４を例示したが、本発明はこれに限らない。例えば、報知手段として、ＬＥＤ等の発光手段や、音声を出力する音声出力手段等を挙げることができる。例えば、報知手段を発光手段で構成する場合には、警告及び異常を報知する場合に点灯または点滅するように構成すればよい。また、このような場合、警告及び異常を報知する場合に、それぞれＬＥＤが発光する色を切り替えてもよい。さらに、報知手段を音声出力手段により構成した場合には、警告及び異常をブザーで報知してもよく、あるいは、音声にてメッセージを出力するようにしてもよい。すなわち、警告及び異常を報知する報知手段の構成は問わない。
【００４４】
前記実施形態では、電流値検出手段７が、電力供給手段６からＵＳＢ端子５に供給される電力の電流値を検出し、制御手段８を構成する主制御部８４の電流値判定部８４２が検出された電流値を判定するとしたが、本発明はこれに限らない。例えば、これら電流値検出手段７、主制御部８４の電流値判定部８４２及び電力供給制御部８４５を１つの回路で構成し、検出された電流値が所定の電流値を超過したと判定した場合に、ＵＳＢ端子５への電力供給を停止するように構成してもよい。そして、当該回路がＵＳＢ端子５への電力供給を停止した際に、報知手段が警告または異常を報知するように構成すればよい。
【００４５】
前記実施形態では、外部機器に接続され、当該外部機器から情報が入力するとともに、当該外部機器に対して駆動電力を供給する端子としてＵＳＢ端子５を例示したが、本発明はこれに限らず、他の構成の端子を採用してもよい。このような端子として、例えば、ＩＥＥＥ１３９４規格に準拠した端子を挙げることができる。
【００４６】
前記実施形態では、電流値判定部８４２が、電流値取得部８４１により取得された電流値、すなわち、電力供給手段６からＵＳＢ端子５に供給されている電力の電流値が、電力供給手段６による電力供給可能な上限の電流値を超過している場合に、電力供給制御部８４５が、電力供給手段６による電力供給を停止させるとしたが、本発明はこれに限らない。例えば、電流値判定部８４２が、電力供給手段６がＵＳＢ端子５に供給している電力の電流値が、当該電力供給手段６の電源規格を越える所定の電流値（前記実施形態では、５００ｍＡ）を超過していると判定した場合に、電力供給制御部８４５が、電力供給手段６による電力供給を停止させるように構成してもよい。このような場合、前述の電力供給制御処理において、ステップＳ４及びステップＳ５を省略できる。
【００４７】
前記実施形態では、電流値判定部８４２は、電力供給手段６による電力供給において過電流が生じたか否かを、電力供給手段６の電源規格を越える所定の電流値である５００ｍＡを指標として判定したが、本発明はこの値に限らず、適宜設定してよい。また、電流値判定部８４２による判定処理において、電力供給手段６の電力供給可能な上限の電流値として７００ｍＡを設定したが、本発明はこの値に限らず、適宜設定してよい。
【００４８】
前記実施形態では、光変調装置として透過型の液晶ライトバルブ４２を備えたプロジェクタ１を例示したが、反射型の液晶ライトバルブを採用してもよい。また、光源装置４１から射出された光束を画像情報に応じて変調して光学像を形成可能な光変調装置であれば、他の構成の光変調装置を採用してもよい。例えば、マイクロミラーを用いたデバイスなど、液晶以外の光変調装置を用いたプロジェクタにも、本発明を適用することも可能である。
【００４９】
前記実施形態では、電子機器として、スクリーンを観察する方向から投射を行なうフロントタイプのプロジェクタ１を例示したが、本発明はこれに限らず、スクリーンを観察する方向とは反対側から投射を行なうリアタイプのプロジェクタにも適用することもできる。
また、前記実施形態では、電子機器としてプロジェクタ１を例示したが、本発明はこれに限らず、ＰＣ（Personal Computer）及びプリンタ等の電子機器にも適用可能である。すなわち、外部機器と接続される端子を有し、当該端子を介して外部機器に電力供給可能な電子機器であれば、他の構成でもよい。
【産業上の利用可能性】
【００５０】
本発明は、電子機器に利用でき、詳しくは、外部機器に駆動電力を供給可能な端子を有する外部機器に利用することができる。
【図面の簡単な説明】
【００５１】
【図１】本発明の一実施形態に係るプロジェクタの構成を示すブロック図。
【図２】前記実施形態における主制御部の構成を示すブロック図。
【図３】前記実施形態における電力供給制御処理の処理過程を示すフローチャート。
【符号の説明】
【００５２】
１…プロジェクタ（電子機器）、４…画像形成手段（報知手段）、５…ＵＳＢ端子（端子）、６…電力供給手段、７…電流値検出手段、９…ＵＳＢデバイス（外部機器）、４１…光源装置（光源）、４２…液晶ライトバルブ（光変調装置）、４３…投射レンズ（投射光学装置）、８１…画像情報処理部（警告画像出力手段）、８４２…電流値判定部（電流値判定手段）、８４５…電力供給制御部（電力供給制御手段）。
【図１】
2008123138.tif 000003
【図２】
2008123138.tif 000004
【図３】
2008123138.tif 000005